(57)【要約】【課題】農作業などの屋外作業において、後頭部及び背中を日射から保護すると共に、装着時に後頭部及び背中に熱が溜まりにくく、着用時の暑さが軽減された日除けを提供する。【解決手段】後頭部と背中への日射を遮蔽するための日除け本体２と、背中に当てるための背中当て３と、前記背中当て３と前記日除け本体２とを繋ぎ前記本体２と背中を隔てる隔離部材４と、前記日除け本体２を人体に取り付け固定するための取り付け部材５とからなることを特徴とする日除け１。【選択図】図１
0003148730.tif 000002
【実用新案登録請求の範囲】
【請求項１】
後頭部と背中への日射を遮蔽するための日除け本体と、背中に当てるための背中当てと、前記背中当てと前記日除け本体とを繋ぎ前記本体と背中を隔てる隔離部材と、前記日除け本体を人体に取り付け固定するための取り付け部材とからなることを特徴とする日除け。
【請求項２】
後頭部と背中への日射を遮蔽するための日除け本体と、背中に当てるための背中当てと、前記背中当てと前記日除け本体とを繋ぎ前記本体と背中を隔てる隔離部材と、前記日除け本体を人体に取り付け固定するための取り付け部材とからなる日除けであって日除け本体が骨に膜体を張ったものであることを特徴とする日除け。
【請求項３】
後頭部と背中への日射を遮蔽するための日除け本体と、背中に当てるための背中当てと、前記背中当てと前記日除け本体とを繋ぎ前記本体と背中を隔てる隔離部材と、前記日除け本体を人体に取り付け固定するための取り付け部材とからなる日除けであって日除け本体が樹脂製の骨に膜体を張ったものであることを特徴とする日除け。
【請求項４】
日除け本体が、体表面に沿って湾曲していることを特徴とする請求項１乃至３のいずれかに記載の日除け。
【請求項５】
取り付け部材の一端が背中当てまたは隔離部材に固定されていること特徴とする請求項１乃至４のいずれかに記載の日除け。
【請求項６】
頭部への日射を遮蔽するための頭部覆部と背中への日射を遮蔽するための背中覆部と前記頭部覆部と前記背中覆部とを接続する接続具とからなる日除け本体と、背中に当てるための背中当てと、前記背中当てと前記背中覆部とを繋ぎ前記背中覆部と背中を隔てる隔離部材と、前記背中覆部を人体に取り付け固定するための取り付け部材とからなることを特徴とする日除け。
【請求項７】
頭部覆部が背中覆部に折りたたみ収納されうるようになっていることを特徴とする請求項６記載の日除け。
【請求項８】
請求項６又は７記載の日除けであって、頭部覆部および又は背中覆部が骨に膜体を張ったものであることを特徴とする日除け。
【請求項９】
骨が樹脂製のものであることを特徴とする請求項８記載の日除け。
【請求項１０】
頭部覆部および又は背中覆部が体表面に沿って湾曲していることを特徴とする請求項６乃至９のいずれかに記載の日除け。
【請求項１１】
取り付け部材の一端が背中当てまたは隔離部材に固定されていること特徴とする請求項６乃至１０のいずれかに記載の日除け。
【考案の詳細な説明】
【技術分野】
【０００１】
本考案は、農作業などの屋外作業において、後頭部及び背中を日射から保護すると共に、装着時に、後頭部及び背中に熱が溜まりにくく、着用時の暑さが軽減された日除けに関する。
【背景技術】
【０００２】
農作業などの屋外作業において、太陽に背を向けて長時間作業する場合があり、頭部及び背中を日射から保護するために、日除けを取付け可能な帽子が提案されている（例えば特許文献１）。しかしながら、帽子の後ろ側に帽子から垂れ下がる状態で日除けがとりつけられているので、着用時に日除けの大部分が背中に貼りついてしまい、背中が暑くなるという問題がある。また、帽子を被るため、頭部が蒸れて暑くなるという問題がある。
【０００３】
また、帽子の上に取り付けることができる日除けストールも提案されている（例えば特許文献２）。しかしながら、この場合も着用時に日除けストールが背中に貼りついてしまい、背中が暑くなるという問題がある。また、帽子を被るため、頭部が蒸れて暑くなるという問題がある。
【０００４】
また、特許文献３には、炎天下の農作業においても、暑さを軽減できる防暑対策用として、着丈が肩からでん部に到り、袖ぐりが大きく開口されている遮光材料でなる防暑対策作業用の上衣と、帽子本体に設けた帽子の略半分となる遮光材料でなる少なくとも首部を被う被部と、首部に捲装するひもとで構成される防暑対策作業衣用の帽子とで構成されるものが提案されている。この場合は、上衣は着用するため、上衣と背中の間に熱がこもりやすく、帽子を被るため、頭部が蒸れて暑くなるという問題がある。
【特許文献１】特開２００２−０８８５５５号公報
【特許文献２】実用新案登録第３１４０５８７号公報
【特許文献３】実用新案登録第３０７５４５５号公報
【考案の開示】
【考案が解決しようとする課題】
【０００５】
本考案は、上記問題に鑑みてなされたものであり、その目的とするところは、農作業などの屋外作業において、後頭部及び背中を日射から保護すると共に、装着時に後頭部及び背中に熱が溜まりにくく、着用時の暑さが軽減された日除けを提供することにある。
【課題を解決するための手段】
【０００６】
請求項１記載の日除けは、後頭部と背中への日射を遮蔽するための日除け本体と、背中に当てるための背中当てと、前記背中当てと前記日除け本体とを繋ぎ前記本体と背中を隔てる隔離部材と、前記日除け本体を人体に取り付け固定するための取り付け部材とからなることを特徴とする。
【０００７】
請求項２記載の日除けは、後頭部と背中への日射を遮蔽するための日除け本体と、背中に当てるための背中当てと、前記背中当てと前記日除け本体とを繋ぎ前記本体と背中を隔てる隔離部材と、前記日除け本体を人体に取り付け固定するための取り付け部材とからなる日除けであって日除け本体が骨に膜体を張ったものであることを特徴とする。
【０００８】
請求項３記載の日除けは、後頭部と背中への日射を遮蔽するための日除け本体と、背中に当てるための背中当てと、前記背中当てと前記日除け本体とを繋ぎ前記本体と背中を隔てる隔離部材と、前記日除け本体を人体に取り付け固定するための取り付け部材とからなる日除けであって日除け本体が樹脂製の骨に膜体を張ったものであることを特徴とする。
【０００９】
請求項４記載の日除けは、請求項１乃至３のいずれかに記載の日除けにおいて、日除け本体が、体表面に沿って湾曲していることを特徴とする日除けである。
【００１０】
請求項５記載の日除けは、請求項１乃至４のいずれかに記載の日除けにおいて、取り付け部材の一端が背中当てまたは隔離部材に固定されていること特徴とする日除けである。
【００１１】
請求項６記載の日除けは、頭部への日射を遮蔽するための頭部覆部と背中への日射を遮蔽するための背中覆部と前記頭部覆部と前記背中覆部とを接続する接続具とからなる日除け本体と、背中に当てるための背中当てと、前記背中当てと前記背中覆部とを繋ぎ前記背中覆部と背中を隔てる隔離部材と、前記背中覆部を人体に取り付け固定するための取り付け部材とからなることを特徴とする日除けである。
【００１２】
請求項７記載の日除けは、請求項６記載の日除けにおいて、頭部覆部が背中覆部に折りたたみ収納されうるようになっていることを特徴とする。
【００１３】
請求項８記載の日除けは、請求項６又は７記載の日除けにおいて、頭部覆部および又は背中覆部が骨に膜体を張ったものであることを特徴とする。
【００１４】
請求項９記載の日除けは、請求項８記載の日除けにおいて、骨が樹脂製のものであることを特徴とする。
【００１５】
請求項１０記載の日除けは、請求項６乃至９のいずれかに記載の日除けにおいて頭部覆部および又は背中覆部が体表面に沿って湾曲していることを特徴とする。
【００１６】
請求項１１記載の日除けは、請求項６乃至１０のいずれかに記載の日除けにおいて、取り付け部材の一端が背中当てまたは隔離部材に固定されていること特徴とする。
【考案の効果】
【００１７】
本考案の請求項１〜１１記載の日除けは、日除け本体又は背中覆部と背中に当たる背中当てとが隔離部材により隔たれた状態で装着されるので、着用時、背中と日除け本体または背中覆部とが密着せずに風が通るため、農作業などの屋外作業において、後頭部及び背中を日射から保護すると共に、装着により後頭部及び背中に熱が溜まりにくく、着用時の暑さが軽減される。
【００１８】
本考案の請求項２又は８の日除けによれば、日除け本体が骨に膜体を張ったものであるので、日除けの重量が軽減されうるという効果を奏する。
【００１９】
本考案の請求項３又は９の日除けによれば、日除け本体が樹脂製の骨に膜体を張ったものであるので、日除けの重量が軽減され、電気絶縁性であるので安心感があるという効果を奏する。
【００２０】
本考案の請求項４又は１０の日除けによれば、日除け本体が、体表面に沿って湾曲しているので、着用時、より人体に適合し着用し易く、風や雨に対しても身を守りやすいという効果を奏する。
【００２１】
本考案の請求項５又は１１の日除けによれば、取り付け部材の一端が背中当てまたは隔離部材に固定されているので、日除けをより緊密に人体に取り付け固定できるという効果を奏する。
【００２２】
本考案の請求項６〜１１の日除けによれば、頭部への日射を遮蔽するための頭部覆部と背中への日射を遮蔽するための背中覆部と前記頭部覆部と前記背中覆部とを接続する接続具とからなる日除け本体であるので、日除けの保管時に、使用時よりも小さく収納し得るという効果を奏する。
【００２３】
本考案の請求項７の日除けによれば、頭部覆部が背中覆部に折りたたみ収納されうるようになっているので、日除けの保管時に、より簡単に使用時より小さく収納し得るという効果を奏する。
【考案を実施するための最良の形態】
【００２４】
添付図面に基づき本考案を実施するための最良の形態について説明するが、本考案は以下の形態にのみ限定されるべきものでないことはいうまでもない。
【００２５】
図１は本考案の日除け１の一例を示す斜視図である。後頭部と背中への日射を遮蔽するための日除け本体２と、背中に当てるための背中当て３と、前記背中当て３と前記日除け本体２とを繋ぎ前記本体２と背中を隔てる隔離部材４と、前記日除け本体２を人体に取り付け固定するための取り付け部材５とからなる。また、上記日除け本体２は、頭部への日射を遮蔽するための頭部覆部２１と背中への日射を遮蔽するための背中覆部２２とからなっている（ただし、後述のように、日除け本体２において、頭部覆部２１と背中覆部２２とは、両者が特別に区別される境界を持たずに一体となった構成とされていてもよい）。また、本図では隔離部材４と背中当て３が一体になっている。
【００２６】
図２及び図３は、日除け本体２の正面図である。日除け本体２は、図２に示すように、例えば、プラスチックス、薄板、厚紙などから一体的に構成されたものでもよいし、図３に示す日除け本体２ａのように、例えば、樹脂製や金属製の骨２３が組み合わされて骨組みが形成され、それに、例えば布やフィルムなどの膜体２４が張られたものからなるように、複数の材料から構成されてもよい（図３では、手前側（背中に当てる側）に骨２３が描かれ、その後ろ側に膜体２４が描かれている）。
【００２７】
図２に示す日除け本体２の幅Ｗは、大人の肩幅乃至その１．５倍程度とされ、５０ｃｍ程度である。長さＬは頭部から腰部を覆うことができる程度の長さとされ、７０ｃｍから１ｍ１０ｃｍ程度である。厚みは材質により異なる。
【００２８】
日除け本体２において、頭部覆部２１と背中覆部２２とは、両者が特別に区別される境界を持たずに一体となった構成とされていてもよいし、それぞれ別々のものが接続されて構成されてもよい。それぞれ別々のものが接続されて構成される場合、接続のための接続具としては、特に限定されるわけではないが、例えば、ヒンジによって接続されていてもよいし、頭部覆部２１が背中覆部２２の方にスライド式に移動できるように、構成されてもよい。図２は、頭部覆部２１と背中覆部２２とがヒンジ２５によって接続されている例を示すものであり、図６は、接続具としてヒンジが用いられた場合における、日除け本体２の頭部覆部２１と背中覆部２２の上部とを示す側面図である。頭部覆部２１と背中覆部２２がヒンジ２５によって接続されている（なお、ヒンジ２５は強調するために、頭部覆部２１および背中覆部２２よりも相対的に大きく描かれている）。この場合は、日除けを使用しない時には、頭部覆部２１を背中覆部２２側に折り畳むことができる。
【００２９】
頭部覆部２１と背中覆部２２の形状は、幅方向、長さ方向共に、緩やかな曲線状であることが、背中へのフイット性や雨対策の点から好ましい。特に、日除け本体が、体表面に沿って湾曲していることが、着用時、より人体に適合し着用し易いという効果を奏するため好ましい。湾曲はゆるやかなものが、製造上は好ましい。
【００３０】
背中当て３は、日除け１の使用時に、人体の背中に当てるために設けられるものであり、隔離部材４は、背中当て３と日除け本体２とを繋ぐと共に、日除け１の使用時に、前記本体２と背中を隔てるために設けられるものである。
【００３１】
図４は背中当て３と隔離部材４の例を示すものであり、背中覆部２２上に隔離部材４を介して設けられた背中当て３を側面から見た図である。図４（ａ）は、背中当て３と隔離部材４が背中覆部２２の表面から盛り上がっているように設けられたものであり、背中当て３と隔離部材４とを区別する明確な境界線が存在しない例であって、背中当て３は、その表面の背中当接部３１と背中当接部３１から僅かに内部に入った部分までを含む部分を指し、隔離部材４は上記背中当て３に続く斜面部分から背中覆部２２の表面までの部分を指すものである。上記背中当接部３１とは、日除け１の使用時、背中当て３の表面の背中に当たる部分を指すものである（以下、図４のいずれの図においても、日除けの使用時に背中あて３の背中当接部３１が背中に当たる）。
【００３２】
図４（ｂ）は、背中当て３とその脚部のような形状をした隔離部材４の例であり、背中覆部２２の表面と背中当て３との間に空間部３２が存在するものである。図４（ｃ）は、背中当て３とその脚部の形状をした隔離部材４が別々に構成されているものである。図４（ｄ）は、背中当て３とその脚部の形状をした隔離部材４が別々に構成されていると共に、背中あて３がＵ字形にされているものであり、この場合は、背中あて３が内部に空間を持つために弾力性を有し、柔かく背中に当たるという効果を奏するものである。
【００３３】
背中覆部２２の表面から、隔離部材４を介して背中当て３の背中当接部３１までの間隔（例えば、図４（ａ）に示すＨ）は、日除け１の使用時に日除けと背中との間に風が通り易くするために、２０〜３０ｃｍが好ましい。
【００３４】
背中当て３及び隔離部材４の材質は、特に限定されるわけではないが、例えば、プラスチックス、プラスチックス発泡体、布、金属、木質材料などを単独、または、適宜組み合わせて用いることができる。  
【００３５】
背中覆部２２の表面上に設けられる隔離部材４と背中当て３の大きさ、数及び位置については、使用時に日除け１の背中当て３の背中当接部３１以外の部分が背中に殆ど当たらないようにできれば、特に限定されるものではない。図５は、背中覆部２２の表面上に隔離部材４を介して設けられた背中当て３を上記表面に対して正面から見た図である。図５（ａ）は、横長の背中当て３が１個設けられた例であり、図５（ｂ）は、横幅の短い背中当て３が２個設けられた例であり、図５（ｃ）は、横長の背中当て３が背中覆部２２の上部と下部に１個ずつ設けられた例であり、図５（ｄ）は、横幅の短い背中当て３が背中覆部２２の上部と下部に２個ずつ設けられた例である。
【００３６】
また、日除けを使用しない時に嵩張らないように、背中当てと隔離部材を折り畳める構成としてもよい。
【００３７】
取り付け部材５は、日除け本体２を人体に取り付けるために用いられるものである。取り付け部材５の具体例としては、ひもやベルトが挙げられる。上記取り付け部材は背中覆部に直接取り付けられてもよいし、背中覆部に設けた取り付け部を介して取り付けられても良い。上記取り付け部としては、背中覆部に設けられた穴でもよい。また、取り付け部材の一端が背中当て３又は隔離部材４に固定されていても良い。
【００３８】
図７は本考案の日除け１の使用時の状態の１例を示す図である。作業者６は、取り付け部材５によって日除け１を背中に取り付け、作業をしている。背中当て３と隔離部材４によって作業者の背中と、日除け本体２の表面との密着が妨げられるので、作業者の背中と、日除け本体２の表面との間の風通しがよくなり、日光が後頭部や背中に当たっても作業者はより涼しく作業できる。
【００３９】
図８は本考案の日除けの他の１例を示す参考図であり、第三角法で作成されている。向かって左端の中央の図が正面図、正面図の上が平面図、正面図の下が底面図、向かって右端の図が背面図、正面図と背面図の間にある図が右側面図である。左側面図は、右側面図と対称にあらわれるので省略した。
この日除けは、日除け本体２が、人体の体表面に沿って左右方向にも上下方向にも三次元的に湾曲していること、及び、背中当てに隔離部材が９０度の角度で取り付けられていること（図１の場合は、背中当てから隔離部材が９０度より大きい角度で取り付けられている）の他は図１に示した日除け１とほぼ同様である。
【産業上の利用可能性】
【００４０】
本考案の日除けは、農作業などの屋外作業における、後頭部及び背中を日射から保護するための日除けとして有効に利用できる。
【図面の簡単な説明】
【００４１】
【図１】図１は本考案の日除けの一例を示す斜視図である。
【図２】日除け本体の正面図である。
【図３】日除け本体の正面図である。
【図４】背中覆部上に隔離部材を介して設けられた背中当てを側面から見た図である。  図４（ａ）は、背中当てと隔離部材が背中覆部の表面から盛り上がっているように設けられたものである。  図４（ｂ）は、背中当てとその脚部のような形状をした隔離部材の例である。  図４（ｃ）は、背中当てとその脚部の形状をした隔離部材が別々に構成されているものである。  図４（ｄ）は、背中当てとその脚部の形状をした隔離部材が別々に構成されていると共に、背中あてがＵ字形にされているものである。
【図５】背中覆部の表面上に隔離部材を介して設けられた背中当てを上記表面に対して正面から見た図である。  図５（ａ）は、横長の背中当てが１個設けられた例である。  図５（ｂ）は、横幅の短い背中当てが２個設けられた例である。図５（ｃ）は、横長の背中当てが背中覆部の上部と下部に１個ずつ設けられた例である。図５（ｄ）は、横幅の短い背中当てが背中覆部の上部と下部に２個ずつ設けられた例である。
【図６】接続具としてヒンジが用いられた例を示すものであり、日除け本体の頭部覆部と背中覆部の上部とを示す側面図である。
【図７】本考案の日除けの使用時の状態の１例を示す図である。
【図８】本考案の日除けの他の１例を示す参考図である。
【符号の説明】
【００４２】
１    日除け
２、２ａ  日除け本体
３    背中当て
４    隔離部材
５    取り付け部材
６    作業者
２１  頭部覆部
２２  背中覆部
２３  骨
２４  膜体
２５  ヒンジ
３１  背中当接部
３２  空間部
【図１】
0003148730.tif 000003
【図２】
0003148730.tif 000004
【図３】
0003148730.tif 000005
【図４】
0003148730.tif 000006
【図５】
0003148730.tif 000007
【図６】
0003148730.tif 000008
【図７】
0003148730.tif 000009
【図８】
0003148730.tif 000010